(57)【要約】    【課題】  滑らかで良質な動画表示が得られるようにした場合であっても光利用効率が大幅に低下しないプロジェクタを提供する。    【解決手段】  第１象限領域に含まれる各小レンズ１２２からの部分光束及び第２象限領域に含まれる各小レンズからの部分光束を、液晶表示装置の各画像形成領域上で、左側に偏倚した位置に照射するとともに、第３象限領域に含まれる各小レンズからの部分光束及び第４象限領域に含まれる各小レンズからの部分光束を、液晶表示装置の各画像形成領域上で、右側に偏倚した位置に照射するようにして、照明装置１００Ａからの照明光束を、液晶表示装置の画像形成領域上で、左右方向については画像形成領域の全体を、上下方向についてはその画像形成領域の略半分を照明するような断面形状を有する照明光束に変換する。そして、この照明光束を液晶表示装置の画面書込み周波数に同期して画像形成領域上で上下方向に沿って走査する。【選択図】  図３
2005223725.tif 000002
【特許請求の範囲】
【請求項１】
被照明領域側に略平行な照明光束を射出する光源装置、この光源装置からの照明光束を複数の部分光束に分割するための小レンズを有する第１レンズアレイ、この第１レンズアレイの前記複数の小レンズに対応する複数の小レンズを有する第２レンズアレイ、及びこの第２レンズアレイからの各部分光束を被照明領域で重畳させるための重畳レンズを有する照明装置と、
この照明装置からの照明光束を画像情報に応じて変調する電気光学変調装置と、
この電気光学変調装置によって変調された光束を投写する投写光学系とを備えたプロジェクタにおいて、
前記照明装置は、第１レンズアレイにおける各小レンズからの部分光束を、前記電気光学変調装置の画像形成領域上で、前記電気光学変調装置の長手方向に平行な第１の方向については画像形成領域の略半分の大きさを照明し、前記電気光学変調装置の長手方向に直交する第２の方向については画像形成領域の一部を照明するような断面形状を有する照明光束とするように構成され、
前記照明装置は、照明光軸に沿って見たときの前記第１レンズアレイを第１象限領域、第２象限領域、第３象限領域及び第４象限領域に分けたとき、第１象限領域に含まれる各小レンズからの部分光束及び第２象限領域に含まれる各小レンズからの部分光束を、前記電気光学変調装置の画像形成領域上で、前記第１の方向における一方側に偏倚した位置に照射するとともに、第３象限領域に含まれる各小レンズからの部分光束及び第４象限領域に含まれる各小レンズからの部分光束を、前記電気光学変調装置の画像形成領域上で、前記第１の方向における前記一方側とは逆の他方側に偏倚した位置に照射する結果、前記照明装置からの照明光束を、前記電気光学変調装置の画像形成領域上で、前記第１の方向については画像形成領域の全体を、前記第２の方向についてはその画像形成領域の一部を照明するような断面形状を有する照明光束に変換する機能を有し、
前記照明装置と前記電気光学変調装置との間に、前記照明光束を前記電気光学変調装置の画面書込み周波数に同期して前記画像形成領域上で前記第２の方向に沿って走査する走査手段をさらに備えたことを特徴とするプロジェクタ。
【請求項２】
被照明領域側に略平行な照明光束を射出する光源装置、この光源装置からの照明光束を複数の部分光束に分割するための小レンズを有する第１レンズアレイ、この第１レンズアレイの前記複数の小レンズに対応する複数の小レンズを有する第２レンズアレイ、及びこの第２レンズアレイからの各部分光束を被照明領域で重畳させるための重畳レンズを有する照明装置と、
この照明装置からの照明光束を画像情報に応じて変調する電気光学変調装置と、
この電気光学変調装置によって変調された光束を投写する投写光学系とを備えたプロジェクタにおいて、
前記照明装置は、第１レンズアレイにおける各小レンズからの部分光束を、前記電気光学変調装置の画像形成領域上で、前記電気光学変調装置の長手方向に平行な第１の方向については画像形成領域の略半分の大きさを照明し、前記電気光学変調装置の長手方向に直交する第２の方向については画像形成領域の一部を照明するような断面形状を有する照明光束とするように構成され、
前記照明装置は、照明光軸に沿って見たときの前記第１レンズアレイを第１象限領域、第２象限領域、第３象限領域及び第４象限領域に分けたとき、第１象限領域に含まれる各小レンズからの部分光束及び第３象限領域に含まれる各小レンズからの部分光束を、前記電気光学変調装置の画像形成領域上で、前記第１の方向における一方側に偏倚した位置に照射するとともに、第２象限領域に含まれる各小レンズからの部分光束及び第４象限領域に含まれる各小レンズからの部分光束を、前記電気光学変調装置の画像形成領域上で、前記第１の方向における前記一方側とは逆の他方側に偏倚した位置に照射する結果、前記照明装置からの照明光束を、前記電気光学変調装置の画像形成領域上で、前記第１の方向については画像形成領域の全体を、前記第２の方向についてはその画像形成領域の一部を照明するような断面形状を有する照明光束に変換する機能を有し、
前記照明装置と前記電気光学変調装置との間に、前記照明光束を前記電気光学変調装置の画面書込み周波数に同期して前記画像形成領域上で前記第２の方向に沿って走査する走査手段をさらに備えたことを特徴とするプロジェクタ。
【請求項３】
請求項１又は２に記載のプロジェクタにおいて、
前記第２レンズアレイの各小レンズは、前記第１レンズアレイにおける各小レンズの中心を通る主光線が前記電気光学変調装置の中心軸から前記第１の方向に沿って一方側又は他方側に偏倚するように偏心していることを特徴とするプロジェクタ。
【請求項４】
請求項１〜３のいずれかに記載のプロジェクタにおいて、
前記第１レンズアレイの各小レンズは、前記電気光学変調装置の画像形成領域の平面形状と略相似する平面形状を有していることを特徴とするプロジェクタ。
【請求項５】
請求項１〜４のいずれかに記載のプロジェクタにおいて、
前記照明装置と前記電気光学変調装置との間に、前記照明装置からの照明光束を複数の色光に分離するための色分離光学系をさらに備え、
前記電気光学変調装置として、前記色分離光学系からの複数の色光をそれぞれの色光に対応する画像情報に応じて変調する複数の電気光学変調装置が設けられていることを特徴とするプロジェクタ。
【請求項６】
請求項５に記載のプロジェクタにおいて、
前記走査手段は、前記照明装置と前記色分離光学系との間の、前記電気光学変調装置と略共役の位置に配置され、照明光軸に垂直な回転軸を有する回転プリズムを含み、
この回転プリズムは、その回転によって、前記電気光学変調装置上で光照射領域と光非照射領域とが前記電気光学変調装置の画面書込み周波数に同期して順次スクロールされるように構成されていることを特徴とするプロジェクタ。
【請求項７】
請求項１〜６のいずれかに記載のプロジェクタにおいて、
前記光源装置は、楕円面リフレクタと、この楕円面リフレクタの第１焦点近傍に発光中心を有する発光管と、平行化レンズとを有する光源装置、
又は放物面リフレクタと、この放物面リフレクタの焦点近傍に発光中心を有する発光管とを有する光源装置であることを特徴とするプロジェクタ。
【請求項８】
請求項７に記載のプロジェクタにおいて、
前記発光管には、前記発光管から被照明領域側に射出される光を前記楕円面リフレクタ又は前記放物面リフレクタに向けて反射する反射手段が設けられていることを特徴とするプロジェクタ。
【発明の詳細な説明】
【技術分野】
【０００１】
本発明はプロジェクタに関する。 
【背景技術】
【０００２】
図１１は、従来のプロジェクタを説明するために示す図である。図１１（ａ）は従来のプロジェクタの光学系を示す図であり、図１１（ｂ）及び図１１（ｃ）はこのような従来のプロジェクタの問題点を説明するための図である。
このプロジェクタ９００Ａにおいては、電気光学変調装置として用いる液晶表示装置４００Ｒ，４００Ｇ，４００Ｂが、図１１（ｂ）に示すような輝度特性を有するホールド型の表示装置であるため、図１１（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図１２は、従来の他のプロジェクタを説明するために示す図である。図１２（ａ）は従来の他のプロジェクタの光学系を示す図であり、図１２（ｂ）及び図１２（ｃ）はこのような従来の他のプロジェクタに用いられる光シャッタを示すための図である。
このプロジェクタ９００Ｂにおいては、図１２（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、光シャッタにより間欠的に光を遮断するようにしているため、光利用効率が大幅に低下するという問題があった。
【０００５】
本発明は、このような問題を解決するためになされたもので、滑らかで良質な動画表示が得られるようにした場合であっても光利用効率が大幅に低下しないプロジェクタを提供することを目的とする。
【課題を解決するための手段】
【０００６】
（１）本発明のプロジェクタは、被照明領域側に略平行な照明光束を射出する光源装置、この光源装置からの照明光束を複数の部分光束に分割するための小レンズを有する第１レンズアレイ、この第１レンズアレイの前記複数の小レンズに対応する複数の小レンズを有する第２レンズアレイ、及びこの第２レンズアレイからの各部分光束を被照明領域で重畳させるための重畳レンズを有する照明装置と、
この照明装置からの照明光束を画像情報に応じて変調する電気光学変調装置と、
この電気光学変調装置によって変調された光束を投写する投写光学系とを備えたプロジェクタにおいて、
前記照明装置は、第１レンズアレイにおける各小レンズからの部分光束を、前記電気光学変調装置の画像形成領域上で、前記電気光学変調装置の長手方向に平行な第１の方向については画像形成領域の略半分の大きさを照明し、前記電気光学変調装置の長手方向に直交する第２の方向については画像形成領域の一部を照明するような断面形状を有する照明光束とするように構成され、
前記照明装置は、照明光軸に沿って見たときの前記第１レンズアレイを第１象限領域、第２象限領域、第３象限領域及び第４象限領域に分けたとき、第１象限領域に含まれる各小レンズからの部分光束及び第２象限領域に含まれる各小レンズからの部分光束を、前記電気光学変調装置の画像形成領域上で、前記第１の方向における一方側に偏倚した位置に照射するとともに、第３象限領域に含まれる各小レンズからの部分光束及び第４象限領域に含まれる各小レンズからの部分光束を、前記電気光学変調装置の画像形成領域上で、前記第１の方向における前記一方側とは逆の他方側に偏倚した位置に照射する結果、前記照明装置からの照明光束を、前記電気光学変調装置の画像形成領域上で、前記第１の方向については画像形成領域の全体を、前記第２の方向についてはその画像形成領域の一部を照明するような断面形状を有する照明光束に変換する機能を有し、
前記照明装置と前記電気光学変調装置との間に、前記照明光束を前記電気光学変調装置の画面書込み周波数に同期して前記画像形成領域上で前記第２の方向に沿って走査する走査手段をさらに備えたことを特徴とする。
【０００７】
このため、本発明のプロジェクタによれば、電気光学変調装置の画像形成領域における縦横方向のうち第１の方向については画像形成領域の全体を、第２の方向についてはその画像形成領域の一部を照明するような断面形状（すなわち第２の方向に圧縮された断面形状）を有する照明光束を、電気光学変調装置の画面書込み周波数に同期して画像形成領域上で第２の方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【０００８】
また、本発明のプロジェクタによれば、上記したように第２の方向に圧縮された断面形状を有する照明光束を、照明装置の「照明光束を第１の方向については画像形成領域の全体を、第２の方向についてはその画像形成領域の一部を照明するような断面形状を有する照明光束に変換する機能」によって実現しているため、光シャッタを用いる場合とは異なり、光源装置からの照明光束を無駄無く電気光学変調装置の画像形成領域に導くことができるようになり、光利用効率が大幅に低下することがなくなる。
【０００９】
このため、本発明のプロジェクタは、滑らかで良質な動画表示が得られるようにした場合であっても光利用効率が大幅に低下しないプロジェクタとなり、本発明の目的が達成される。
【００１０】
なお、この場合、電気光学変調装置の第１の方向における一方側に偏倚した部分に照射される照明光束は、第１象限領域に含まれる各小レンズからの部分光束及び第２象限領域に含まれる各小レンズからの部分光束が重畳されることになるため、第１の方向に沿った光強度分布が平均化され均一化される。また、電気光学変調装置の第１の方向における他方側に偏倚した部分に照射される照明光束も、第３象限領域に含まれる各小レンズからの部分光束及び第４象限領域に含まれる各小レンズからの部分光束が重畳されることになるため、第１の方向に沿った光強度分布が平均化され均一化される。
また、電気光学変調装置上に照射される照明光束は、画像形成領域上で第２の方向に沿って走査されるため、第２の方向に沿った光強度分布の不均一さは問題にならなくなる。
このため、本発明の照明装置を用いることによって画像品質が低下することもなくなる。
【００１１】
（２）本発明のプロジェクタは、被照明領域側に略平行な照明光束を射出する光源装置、この光源装置からの照明光束を複数の部分光束に分割するための小レンズを有する第１レンズアレイ、この第１レンズアレイの前記複数の小レンズに対応する複数の小レンズを有する第２レンズアレイ、及びこの第２レンズアレイからの各部分光束を被照明領域で重畳させるための重畳レンズを有する照明装置と、
この照明装置からの照明光束を画像情報に応じて変調する電気光学変調装置と、
この電気光学変調装置によって変調された光束を投写する投写光学系とを備えたプロジェクタにおいて、
前記照明装置は、第１レンズアレイにおける各小レンズからの部分光束を、前記電気光学変調装置の画像形成領域上で、前記電気光学変調装置の長手方向に平行な第１の方向については画像形成領域の略半分の大きさを照明し、前記電気光学変調装置の長手方向に直交する第２の方向については画像形成領域の一部を照明するような断面形状を有する照明光束とするように構成され、
前記照明装置は、照明光軸に沿って見たときの前記第１レンズアレイを第１象限領域、第２象限領域、第３象限領域及び第４象限領域に分けたとき、第１象限領域に含まれる各小レンズからの部分光束及び第３象限領域に含まれる各小レンズからの部分光束を、前記電気光学変調装置の画像形成領域上で、前記第１の方向における一方側に偏倚した位置に照射するとともに、第２象限領域に含まれる各小レンズからの部分光束及び第４象限領域に含まれる各小レンズからの部分光束を、前記電気光学変調装置の画像形成領域上で、前記第１の方向における前記一方側とは逆の他方側に偏倚した位置に照射する結果、前記照明装置からの照明光束を、前記電気光学変調装置の画像形成領域上で、前記第１の方向については画像形成領域の全体を、前記第２の方向についてはその画像形成領域の一部を照明するような断面形状を有する照明光束に変換する機能を有し、
前記照明装置と前記電気光学変調装置との間に、前記照明光束を前記電気光学変調装置の画面書込み周波数に同期して前記画像形成領域上で前記第２の方向に沿って走査する走査手段をさらに備えたことを特徴とするプロジェクタ。
【００１２】
このため、本発明のプロジェクタによれば、電気光学変調装置の画像形成領域における縦横方向のうち第１の方向については画像形成領域の全体を、第２の方向についてはその画像形成領域の一部を照明するような断面形状（すなわち第２の方向に圧縮された断面形状）を有する照明光束を、電気光学変調装置の画面書込み周波数に同期して画像形成領域上で第２の方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【００１３】
また、本発明のプロジェクタによれば、上記したように第２の方向に圧縮された断面形状を有する照明光束を、照明装置の「照明光束を第１の方向については画像形成領域の全体を、第２の方向についてはその画像形成領域の一部を照明するような断面形状を有する照明光束に変換する機能」によって実現しているため、光シャッタを用いる場合とは異なり、光源装置からの照明光束を無駄無く電気光学変調装置の画像形成領域に導くことができるようになり、光利用効率が大幅に低下することがなくなる。
【００１４】
このため、本発明のプロジェクタは、滑らかで良質な動画表示が得られるようにした場合であっても光利用効率が大幅に低下しないプロジェクタとなり、本発明の目的が達成される。
【００１５】
なお、この場合、電気光学変調装置の第１の方向における一方側に偏倚した部分に照射される照明光束は、第１象限領域に含まれる各小レンズからの部分光束及び第３象限領域に含まれる各小レンズからの部分光束が重畳されることになるため、第１の方向に沿った光強度分布及び第２の方向に沿った光強度分布がともに平均化され均一化される。また、電気光学変調装置の第１の方向における他方側に偏倚した部分に照射される照明光束も、第２象限領域に含まれる各小レンズからの部分光束及び第４象限領域に含まれる各小レンズからの部分光束が重畳されることになるため、第１の方向に沿った光強度分布及び第２の方向に沿った光強度分布がともに平均化され均一化される。
このため、本発明の照明装置を用いることによって画像品質が低下することもなくなる。
【００１６】
（３）上記（１）又は（２）に記載のプロジェクタにおいては、前記第２レンズアレイの各小レンズは、前記第１レンズアレイにおける各小レンズの中心を通る主光線が前記電気光学変調装置の中心軸から前記第１の方向に沿って一方側又は他方側に偏倚するように偏心していることが好ましい。
【００１７】
このように構成することにより、上記したように、照明装置からの照明光束を、電気光学変調装置の画像形成領域上で、第１の方向については画像形成領域の全体を、第２の方向についてはその画像形成領域の一部を照明するような断面形状を有する照明光束に変換する機能を実現できるようになる。
【００１８】
（４）上記（１）〜（３）のいずれかに記載のプロジェクタにおいては、前記第１レンズアレイの各小レンズは、前記電気光学変調装置の画像形成領域の平面形状と略相似する平面形状を有していることが好ましい。
【００１９】
このように構成することにより、第１レンズアレイにおける各小レンズからの部分光束は、電気光学変調装置の画像形成領域上で、第１の方向及び第２の方向のうちいずれの方向についても、画像形成領域の略半分の大きさを照明するようになるため、照明装置からの照明光束は、電気光学変調装置の画像形成領域上で、第１の方向については画像形成領域の全体を、第２の方向についてはその画像形成領域の略半分を照明するような断面形状（すなわち第２の方向に沿って略半分に圧縮された断面形状）を有する照明光束に変換される。この結果、この照明光束を、電気光学変調装置の画面書込み周波数に同期して画像形成領域上で第２の方向に沿って走査することにより、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【００２０】
なお、電気光学変調装置としては、その画像形成領域の平面形状が「縦寸法：横寸法＝３：４の長方形のもの」及び「縦寸法：横寸法＝９：１６の長方形のもの」が広く用いられているため、上記（４）に記載のプロジェクタにおける第１レンズアレイの小レンズの平面形状としては、例えば、「縦寸法：横寸法＝３：４の長方形のもの」、「縦寸法：横寸法＝９：１６の長方形のもの」、「縦寸法：横寸法＝１：２の長方形のもの」などを好ましく用いることができる。
このため、第１レンズアレイの各小レンズの平面形状は、電気光学変調装置の画像形成領域の平面形状を第２の方向に沿って圧縮したような平面形状（例えば、「縦寸法：横寸法＝３：８の長方形のもの」、「縦寸法：横寸法＝９：３２の長方形のもの」、「縦寸法：横寸法＝１：４の長方形のもの」などにすることを要しないため、第１レンズアレイの成形をさほど困難にすることもない。
【００２１】
（５）上記（１）〜（４）のいずれかに記載のプロジェクタにおいては、
前記照明装置と前記電気光学変調装置との間に、前記照明装置からの照明光束を複数の色光に分離するための色分離光学系をさらに備え、
前記電気光学変調装置として、前記色分離光学系からの複数の色光をそれぞれの色光に対応する画像情報に応じて変調する複数の電気光学変調装置が設けられていることが好ましい。
【００２２】
このように構成することにより、滑らかで良質な動画表示が得られるようにした場合であっても光利用効率が大幅に低下しないプロジェクタを、画像品質の優れた（例えば３板式の）フルカラープロジェクタとすることができるようになる。
【００２３】
（６）上記（５）に記載のプロジェクタにおいては、前記走査手段は、前記照明装置と前記色分離光学系との間の、前記電気光学変調装置と略共役の位置に配置され、照明光軸に垂直な回転軸を有する回転プリズムを含み、
この回転プリズムは、その回転によって、前記電気光学変調装置上で光照射領域と光非照射領域とが前記電気光学変調装置の画面書込み周波数に同期して順次スクロールされるように構成されていることが好ましい。
【００２４】
このように構成することにより、フルカラープロジェクタにおける各電気光学変調装置の画像形成領域において、光照射領域及び光非照射領域の円滑なスクロール動作が実現できるようになる。
【００２５】
上記（６）に記載のプロジェクタにおいては、前記回転プリズムの光透過面には、減反射膜が形成されてなることが好ましい。このように構成することにより、回転プリズムにおける光透過率が向上するため光利用効率の低下を最小限のものにすることができるとともに、迷光レベルが低減しコントラストが向上する。
【００２６】
（７）上記（１）〜（６）のいずれかに記載のプロジェクタにおいては、前記光源装置は、楕円面リフレクタと、この楕円面リフレクタの第１焦点近傍に発光中心を有する発光管と、平行化レンズとを有する光源装置、又は放物面リフレクタと、この放物面リフレクタの焦点近傍に発光中心を有する発光管とを有する光源装置であることが好ましい。
【００２７】
このように構成することにより、前者の場合には、放物面リフレクタを用いた光源装置と比較して、よりコンパクトな光源装置を実現することができる。後者の場合には、平行化レンズを用いることなく略平行な照明光束を得ることができるため、平行化レンズを必要とする楕円面リフレクタを用いた光源装置と比較して、部品点数の少ない光源装置を実現することができる。
【００２８】
（８）上記（７）に記載のプロジェクタにおいては、前記発光管には、前記発光管から被照明領域側に射出される光を前記楕円面リフレクタ又は前記放物面リフレクタに向けて反射する反射手段が設けられていることが好ましい。
【００２９】
このように構成することにより、発光管から被照明領域側に放射される光が楕円面リフレクタ又は放物面リフレクタに向けて反射されるため、発光管の被照明領域側端部を覆うような大きさに楕円面リフレクタ又は放物面リフレクタの大きさを設定することを必要とせず、楕円面リフレクタ又は放物面リフレクタの小型化を図ることができ、結果としてプロジェクタの小型化を図ることができる。
また、楕円面リフレクタ又は放物面リフレクタの小型化を図ることができることにより、楕円面リフレクタから楕円面リフレクタの第２焦点に向けて集束するビームの集束角やビームスポットを小さくすることができ、放物面リフレクタから後段の光学系に射出する光ビームのビーム径を小さくすることができるため、第１レンズアレイの大きさ、第２レンズアレイの大きさ、重畳レンズの大きさ、回転プリズムの大きさ、色分離光学系の大きさなどをさらに小さくすることができ、プロジェクタのさらなる小型化を図ることができる。
【発明を実施するための最良の形態】
【００３０】
以下、本発明のプロジェクタについて、図に示す実施の形態に基づいて説明する。
【００３１】
〔実施形態１〕
図１は、本発明の実施形態１に係るプロジェクタの光学系を示す図である。図１（ａ）は光学系を上面から見た図であり、図１（ｂ）は光学系を側面から見た図である。なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３２】
実施形態１に係るプロジェクタ１０００Ａは、図１（ａ）及び図１（ｂ）に示すように、照明装置１００Ａと、照明装置１００Ａからの照明光束を赤、緑及び青の３つの色光に分離する色分離光学系２００Ａと、色分離光学系２００Ａで分離された３つの色光のそれぞれを画像情報に応じて変調する電気光学変調装置としての３つの液晶表示装置４００Ｒ，４００Ｇ，４００Ｂと、これら３つの液晶表示装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３３】
照明装置１００Ａは、被照明領域側に略平行な照明光束を射出する光源装置１１０、光源装置１１０からの照明光束を複数の部分光束に分割するための小レンズ１２２（図２参照。）を有する第１レンズアレイ１２０、第１レンズアレイ１２０の複数の小レンズ１２２に対応する複数の小レンズを有する第２レンズアレイ１３０Ａ、照明光束を偏光光に変換するための偏光変換素子１４０及びこの偏光変換素子１４０からの各部分光束を被照明領域で重畳させるための重畳レンズ１５０を有している。
【００３４】
光源装置１１０は、楕円面リフレクタ１１４と、楕円面リフレクタ１１４の第１焦点近傍に発光中心を有する発光管１１２と、楕円面リフレクタ１１４からの集束光を略平行な光に変換する平行化レンズ１１８とを有している。発光管１１２には、発光管１１２から被照明領域側に射出される光を楕円面リフレクタ１１４に向けて反射する反射手段としての補助ミラー１１６が設けられている。
【００３５】
色分離光学系２００Ａとしては、照明装置１００Ａから液晶表示装置４００Ｒ，４００Ｇ，４００Ｂまでの光路長が等しい等光路光学系を用いている。
【００３６】
液晶表示装置４００Ｒ,４００Ｇ,４００Ｂとしては、「ｙ軸方向に沿った縦寸法：ｘ軸方向に沿った横寸法＝９：１６の長方形」の平面形状を有するワイドビジョン用の液晶表示装置を用いている。
【００３７】
実施形態１に係るプロジェクタ１０００Ａは、照明装置１００Ａの構成及び走査手段としての回転プリズム７７０を用いたことを特徴としている。以下、実施形態１に係るプロジェクタ１０００Ａにおける照明装置１００Ａ及び回転プリズム７７０について詳細に説明する。
【００３８】
１．照明装置
図２は、実施形態１の照明装置で用いられる第１レンズアレイの構造を説明するために示す図である。図２（ａ）はｚ軸方向に沿って見たときの平面図であり、図２（ｂ）はｙ軸方向に沿って見た側面図であり、図２（ｃ）はｘ軸方向に沿って見た側面図であり、図２（ｄ）は第１レンズアレイの光入射面上における照明光束の光強度分布を示す図である。
【００３９】
図３は、実施形態１の照明装置の機能を説明するために示す図である。図３（ａ）、図３（ｃ）、図３（ｅ）及び図３（ｇ）は、それぞれ第１レンズアレイの第１象限領域上、第２象限領域上、第３象限領域上及び第４象限領域上における照明光束の光強度分布を示す図であり、図３（ｂ）、図３（ｄ）、図３（ｆ）及び図３（ｈ）は、それぞれ第１レンズアレイの第１象限領域上、第２象限領域上、第３象限領域上及び第４象限領域上からの照明光束の液晶表示装置４００Ｒ（液晶表示装置４００Ｇ，４００Ｂも同じ。）上における光強度分布を示す図であり、図３（ｉ）は液晶表示装置における照明光束の光強度分布を等高線で示す図であり、図３（ｊ）は図３（ｉ）中、仮想線ＬＨ１，ＬＨ２上における照明光束の光強度分布をグラフで示す図であり、図３（ｋ）は図３（ｉ）中、仮想線ＬＶ１，ＬＶ２，ＬＶ３上における照明光束の光強度分布をグラフで示す図である。
【００４０】
図４は、実施形態１の照明装置の機能を説明するために示す図である。図４（ａ）及び図４（ｂ）は、第１象限領域に含まれる各小レンズ及び第２象限領域に含まれる各小レンズからの部分光束が回転プリズム近傍を照明する様子を上面及び側面から見た図であり、図４（ｃ）及び図４（ｄ）は、第３象限領域に含まれる各小レンズ及び第４象限領域に含まれる各小レンズからの部分光束が回転プリズム近傍を照明する様子を上面及び側面から見た図である。
なお、図４（ａ）〜図４（ｄ）においては、第２レンズアレイ１３０Ａにおける各小レンズの偏心状態は捨象して描かれている。
【００４１】
図５は、比較例に係る照明装置の機能を説明するために示す図である。図５（ａ）及び図５（ｂ）は、第１レンズアレイの各小レンズからの部分光束が液晶表示装置の画像形成領域に照射される様子を上面及び側面から見た図であり、図５（ｃ）は、液晶表示装置の画像形成領域上における照明光束の光強度分布を等高線で示す図である。
【００４２】
実施形態１に係るプロジェクタにおける第１レンズアレイ１２０は、図２（ａ）に示すように、「ｙ軸方向に沿った縦寸法：ｘ軸方向に沿った横寸法＝９：１６の長方形」の平面形状を有している。
【００４３】
実施形態１に係るプロジェクタにおける照明装置１００Ａは、図５に示す比較例に係るプロジェクタの場合とは異なり、図３（ａ）〜図３（ｈ）に示すように、第１レンズアレイ１２０における各小レンズ１２２からの部分光束を、液晶表示装置４００Ｒ，４００Ｇ，４００Ｂの各画像形成領域上で、液晶表示装置４００Ｒ，４００Ｇ，４００Ｂの長手方向に平行な第１の方向（図３では左右方向）については画像形成領域の略半分の大きさを照明し、液晶表示装置４００Ｒ，４００Ｇ，４００Ｂの長手方向に直交する第２の方向（図３では上下方向）については画像形成領域の一部（略半分）を照明するような断面形状を有する照明光束とするように構成されている。
【００４４】
そして、照明装置１００Ａは、第１象限領域に含まれる各小レンズ１２２からの部分光束及び第２象限領域に含まれる各小レンズ１２２からの部分光束を、図４（ａ）に示すように、回転プリズム７７０の回転軸７７２近傍で、「−ｘ側」に偏倚した位置に照射するとともに、第３象限領域に含まれる各小レンズからの部分光束及び第４象限領域に含まれる各小レンズからの部分光束を、図４（ｃ）に示すように、回転プリズム７７０の回転軸７７２近傍で、「＋ｘ側」に偏倚した位置に照射する。
【００４５】
すると、回転プリズム７７０は液晶表示装置４００Ｒ，４００Ｇ，４００Ｂと共役の位置に配置されているため、これらの部分光束のうち、第１象限領域に含まれる各小レンズ１２２からの部分光束及び第２象限領域に含まれる各小レンズ１２２からの部分光束は、図３（ｂ）及び図３（ｄ）に示すように、液晶表示装置４００Ｒ，４００Ｇ，４００Ｂにおける各画像形成領域上で、一方側（図３の左側）に偏倚した位置に照射されるとともに、第３象限領域に含まれる各小レンズ１２２からの部分光束及び第４象限領域に含まれる各小レンズ１２２からの部分光束は、図３（ｆ）及び図３（ｈ）に示すように、液晶表示装置４００Ｒ，４００Ｇ，４００Ｂの各画像形成領域上で、他方側（図３の右側）に偏倚した位置に照射される。
【００４６】
この結果、実施形態１に係るプロジェクタ１０００Ａにおいては、照明装置１００Ａからの照明光束は、図３（ｉ）〜図３（ｋ）に示すように、液晶表示装置４００Ｒ，４００Ｇ，４００Ｂの各画像形成領域上で、第１の方向（図３の左右方向）については画像形成領域の全体を、第２の方向（図３の上下方向）についてはその画像形成領域の一部（略半分）を照明するような断面形状を有する照明光束に変換されることになる。
【００４７】
２．回転プリズム
図６は、回転プリズムの回転と液晶表示装置上の照明状態との関係を示す図である。図６（ａ）は回転プリズムを回転軸に沿って見たときの断面図である。図６（ｂ）は回転プリズムを照明光軸に沿って見たときの図である。図６（ｃ）は液晶表示装置の画像形成領域上における照明光束の照射状態を示す図である。
【００４８】
実施形態１に係るプロジェクタ１０００Ａにおいては、図１（ａ）及び図１（ｂ）に示すように、走査手段としての回転プリズム７７０は、照明装置１００Ａと液晶表示装置４００Ｒ，４００Ｇ，４００Ｂとの間の、液晶表示装置４００Ｒ，４００Ｇ，４００Ｂと共役の位置に配置されている。そして、その回転によって、照明光束を液晶表示装置４００Ｒ，４００Ｇ，４００Ｂの画面書込み周波数に同期して液晶表示装置４００Ｒ，４００Ｇ，４００Ｂの画像形成領域上で第２の方向（図６（ｃ）の上下方向）に沿って走査する機能を有している。
【００４９】
すなわち、実施形態１に係るプロジェクタ１０００Ａにおいては、照明光軸１００Ａａｘ上における第１レンズアレイの仮想中心点の像Ｐは、図６（ａ）及び図６（ｂ）に示すように、回転プリズム７７０が回転するのに従って、回転プリズム７７０の回転軸７７２を中心にして上下方向にスクロールされる。この結果、図６（ｃ）に示すように、回転プリズム７７０が回転すると、液晶表示装置４００Ｒ，４００Ｇ，４００Ｂの画像形成領域においては光照射領域と光非照射領域とが順次交互にスクロールされるようになるのである。
【００５０】
以上、実施形態１に係るプロジェクタ１０００Ａの構成及び特徴を説明したが、上記したように、実施形態１に係るプロジェクタ１０００Ａによれば、液晶表示装置４００Ｒ，４００Ｇ，４００Ｂの画像形成領域におけるｘ軸方向については画像形成領域の全体を、ｙ軸方向についてはその画像形成領域の一部（略半分）を照明するような断面形状（すなわちｙ軸方向に圧縮された断面形状）を有する照明光束を、液晶表示装置４００Ｒ，４００Ｇ，４００Ｂの画面書き込み周波数に同期して画像形成領域上でｙ軸方向に沿って走査することができるようになるため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００５１】
また、実施形態１に係るプロジェクタ１０００Ａによれば、上記したようにｙ軸方向に圧縮された断面形状を有する照明光束を、照明装置の「照明光束をｘ軸方向については画像形成領域の全体を、ｙ軸方向についてはその画像形成領域の一部（略半分）を照明するような断面形状を有する照明光束に変換する機能」によって実現しているため、光シャッタを用いる場合とは異なり、光源装置１１０からの照明光束を無駄無く液晶表示装置４００Ｒ，４００Ｇ，４００Ｂの各画像形成領域に導くことができるようになり、光利用効率が大幅に低下することがなくなる。
【００５２】
このため、実施形態１に係るプロジェクタ１０００Ａは、滑らかで良質な動画表示が得られるようにした場合であっても光利用効率が大幅に低下しないプロジェクタとなる。
【００５３】
なお、液晶表示装置４００Ｒ，４００Ｇ，４００Ｂのｘ軸方向における一方側（図３の左側）に偏倚した部分に照射される照明光束は、第１象限領域に含まれる各小レンズ１２２からの部分光束及び第２象限領域に含まれる各小レンズ１２２からの部分光束が重畳されることになるため、ｘ軸方向に沿った光強度分布が平均化され均一化される。また、液晶表示装置４００Ｒ，４００Ｇ，４００Ｂのｘ軸方向における他方側（図３の右側）に偏倚した部分に照射される照明光束も、第３象限領域に含まれる各小レンズ１２２からの部分光束及び第４象限領域に含まれる各小レンズ１２２からの部分光束が重畳されることになるため、ｘ軸方向に沿った光強度分布が平均化され均一化される。
また、液晶表示装置４００Ｒ，４００Ｇ，４００Ｂ上に照射される照明光束は、画像形成領域上でｙ軸方向に沿って走査されるため、ｙ軸方向に沿った光強度分布の不均一さは問題にならなくなる。
このため、実施形態１に係る照明装置１００Ａを用いることによって画像品質が低下することもなくなる。
【００５４】
実施形態１に係るプロジェクタ１０００Ａにおいては、第２レンズアレイ１３０Ａの各小レンズは、第１レンズアレイ１２０における各小レンズ１２２の中心を通る主光線が液晶表示装置４００Ｒ，４００Ｇ，４００Ｂの中心軸からｘ軸方向に沿って一方側又は他方側に偏倚するように偏心している。このため、照明装置１００Ａからの照明光束を、液晶表示装置４００Ｒ，４００Ｇ，４００Ｂの画像形成領域上で、ｘ軸方向については画像形成領域の全体を、ｙ軸方向についてはその画像形成領域の一部（略半分）を照明するような断面形状を有する照明光束に変換する機能を実現できるようになる。
【００５５】
実施形態１に係るプロジェクタ１０００Ａにおいては、第１レンズアレイ１２０の各小レンズ１２２は、液晶表示装置４００Ｒ，４００Ｇ，４００Ｂの画像形成領域の平面形状と略相似する平面形状を有している。すなわち、「ｙ軸方向に沿った縦寸法：ｘ軸方向に沿った横寸法＝９：１６の長方形」の平面形状を有しているため、第１レンズアレイ１２０における各小レンズ１２２からの部分光束は、液晶表示装置４００Ｒ，４００Ｇ，４００Ｂの各画像形成領域上で、ｘ軸方向及びｙ軸方向のうちいずれの方向についても、画像形成領域の略半分の大きさを照明するようになる。
【００５６】
このため、照明装置１００Ａからの照明光束は、液晶表示装置４００Ｒ，４００Ｇ，４００Ｂの画像形成領域上で、ｘ軸方向については画像形成領域の全体を、ｙ軸方向についてはその画像形成領域の略半分を照明するような断面形状（すなわちｙ軸方向に沿って略半分に圧縮された断面形状）を有する照明光束に変換される。この結果、この照明光束を、液晶表示装置４００Ｒ，４００Ｇ，４００Ｂの画面書込み周波数に同期して液晶表示装置４００Ｒ，４００Ｇ，４００Ｂの画像形成領域上でｙ軸方向に沿って走査することにより、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００５７】
実施形態１に係るプロジェクタ１０００Ａは、照明装置１００Ａと液晶表示装置４００Ｒ，４００Ｇ，４００Ｂとの間に、照明装置１００Ａからの照明光束を複数の色光に分離するための色分離光学系２００Ａをさらに備えている。このため、滑らかで良質な動画表示が得られるようにした場合であっても光利用効率が大幅に低下しないプロジェクタを、画像品質の優れた（例えば３板式の）フルカラープロジェクタとすることができるようになる。
【００５８】
実施形態１に係るプロジェクタ１０００Ａにおいては、回転プリズム７７０は、照明装置１００Ａと色分離光学系２００Ａとの間の、液晶表示装置４００Ｒ，４００Ｇ，４００Ｂと略共役の位置に配置され、照明光軸１００Ａａｘに垂直な回転軸を有し、その回転によって、液晶表示装置４００Ｒ，４００Ｇ，４００Ｂ上で光照射領域と光非照射領域とが液晶表示装置４００Ｒ，４００Ｇ，４００Ｂの画面書込み周波数に同期して順次スクロールされるように構成されている。このため、フルカラープロジェクタにおける液晶表示装置４００Ｒ，４００Ｇ，４００Ｂの各画像形成領域において、光照射領域及び光非照射領域の円滑なスクロール動作が実現できるようになる。
【００５９】
実施形態１に係るプロジェクタ１０００Ａにおいては、回転プリズム７７０の光透過面には、減反射膜が形成されている。このため、回転プリズム７７０における光透過率が向上するため光利用効率の低下を最小限のものにすることができるとともに、迷光レベルが低減しコントラストが向上する。
【００６０】
実施形態１に係るプロジェクタ１０００Ａにおいては、図１（ａ）及び図１（ｂ）に示すように、光源装置１１０は、楕円面リフレクタ１１４と、楕円面リフレクタ１１４の第１焦点近傍に発光中心を有する発光管１１２と、平行化レンズ１１８とを有しているため、放物面リフレクタを用いた光源装置と比較して、よりコンパクトな光源装置を実現することができる。
【００６１】
実施形態１に係るプロジェクタ１０００Ａにおいては、図１（ａ）及び図１（ｂ）に示すように、発光管１１２には発光管１１２から被照明領域側に射出される光を楕円面リフレクタ１１４に向けて反射する反射手段としての補助ミラー１１６が設けられている。
このため、発光管１１２から被照明領域側に放射される光が楕円面リフレクタ１１４に向けて反射されるため、発光管１１２の被照明領域側端部を覆うような大きさに楕円面リフレクタ１１４の大きさを設定することを必要とせず、楕円面リフレクタ１１４の小型化を図ることができ、プロジェクタ１０００Ａの小型化を図ることができる。また、このことは、第１レンズアレイ１２０の大きさ、第２レンズアレイ１３０Ａの大きさ、偏光変換素子１４０の大きさ、重畳レンズ１５０の大きさ、回転プリズム７７０の大きさ、色分離光学系２００Ａの大きさなどをさらに小さくすることができることをも意味し、プロジェクタ１０００Ａのさらなる小型化を図ることができる。
【００６２】
〔実施形態２〕
図７は、実施形態２の照明装置の機能を説明するために示す図である。図７（ａ）、図７（ｃ）、図７（ｅ）及び図７（ｇ）は、それぞれ第１レンズアレイの第１象限領域上、第２象限領域上、第３象限領域上及び第４象限領域上における照明光束の光強度分布を示す図であり、図７（ｂ）、図７（ｄ）、図７（ｆ）及び図７（ｈ）は、それぞれ第１レンズアレイの第１象限領域上、第２象限領域上、第３象限領域上及び第４象限領域上からの照明光束の液晶表示装置４００Ｒ（液晶表示装置４００Ｇ，４００Ｂも同じ。）上における光強度分布を示す図であり、図７（ｉ）は液晶表示装置における照明光束の光強度分布を等高線で示す図であり、図７（ｊ）は図７（ｉ）中、仮想線ＬＨ１，ＬＨ２上における照明光束の光強度分布をグラフで示す図であり、図７（ｋ）は図７（ｉ）中、仮想線ＬＶ１，ＬＶ２，ＬＶ３上における照明光束の光強度分布をグラフで示す図である。
【００６３】
図８は、実施形態２の照明装置の機能を説明するために示す図である。図８（ａ）及び図８（ｂ）は、第１象限領域に含まれる各小レンズ及び第２象限領域に含まれる各小レンズからの部分光束が回転プリズム近傍を照明する様子を上面及び側面から見た図であり、図８（ｃ）及び図８（ｄ）は、第３象限領域に含まれる各小レンズ及び第４象限領域に含まれる各小レンズからの部分光束が回転プリズム近傍を照明する様子を上面及び側面から見た図である。
なお、図８（ａ）〜図８（ｄ）においては、第２レンズアレイ１３０Ａにおける各小レンズの偏心状態は捨象して描かれている。
【００６４】
実施形態２に係るプロジェクタ１０００Ｂ（図示せず。）は、実施形態１に係るプロジェクタ１０００Ａとは、照明装置の構成（特に、第２レンズアレイの構成）が異なっている。
すなわち、実施形態２に係る照明装置１００Ｂは、第１象限領域に含まれる各小レンズ１２２からの部分光束及び第３象限領域に含まれる各小レンズ１２２からの部分光束を、図８（ａ）及び図８（ｃ）に示すように、回転プリズム７７０の回転軸７７２近傍で、「−ｘ側」に偏倚した位置に照射するとともに、第２象限領域に含まれる各小レンズ１２２からの部分光束及び第４象限領域に含まれる各小レンズ１２２からの部分光束を、図８（ａ）及び図８（ｃ）に示すように、回転プリズム７７０の回転軸７７２近傍で、「＋ｘ側」に偏倚した位置に照射する。
【００６５】
すると、回転プリズム７７０は液晶表示装置４００Ｒ，４００Ｇ，４００Ｂと共役の位置に配置されているため、これらの部分光束のうち、第１象限領域に含まれる各小レンズ１２２からの部分光束及び第３象限領域に含まれる各小レンズ１２２からの部分光束は、図７（ｂ）及び図７（ｆ）に示すように、液晶表示装置４００Ｒ，４００Ｇ，４００Ｂにおける各画像形成領域上で、一方側（図７の左側）に偏倚した位置に照射されるとともに、第２象限領域に含まれる各小レンズ１２２からの部分光束及び第４象限領域に含まれる各小レンズ１２２からの部分光束は、図７（ｄ）及び図７（ｈ）に示すように、液晶表示装置４００Ｒ，４００Ｇ，４００Ｂの各画像形成領域上で、他方側（図７の右側）に偏倚した位置に照射される。
【００６６】
この結果、実施形態２に係るプロジェクタ１０００Ｂにおいても、照明装置１００Ｂからの照明光束は、図７（ｉ）〜図７（ｋ）に示すように、液晶表示装置４００Ｒ，４００Ｇ，４００Ｂの各画像形成領域上で、第１の方向（図７の左右方向）については画像形成領域の全体を、第２の方向（図７の上下方向）についてはその画像形成領域の一部（略半分）を照明するような断面形状を有する照明光束に変換されることになる。
【００６７】
このため、実施形態２に係るプロジェクタ１０００Ｂにおいても、実施形態１に係るプロジェクタ１０００Ａで得られる効果を同様に得ることができる。
【００６８】
〔実施形態３〕
図９は、実施形態３の照明装置で用いられる第１レンズアレイの構造を説明するために示す図である。図９（ａ）はｚ軸方向に沿って見たときの平面図であり、図９（ｂ）はｙ軸方向に沿って見た側面図であり、図９（ｃ）はｘ軸方向に沿って見た側面図であり、図２（ｄ）は第１レンズアレイの光入射面上における照明光束の光強度分布を示す図である。
【００６９】
実施形態３に係るプロジェクタ１０００Ｃ（図示せず。）は、液晶表示装置及び第１レンズアレイの構成が実施形態１に係るプロジェクタ１０００Ａと異なる。すなわち、実施形態３に係るプロジェクタ１０００Ｃで用いる液晶表示装置４００Ｒ，４００Ｇ，４００Ｂ及び第１レンズアレイ１２０Ｃは、図９（ａ）及び図９（ｄ）に示すように、「ｙ軸方向に沿った縦寸法：ｘ軸方向に沿った横寸法＝３：４の長方形」の平面形状を有している。
【００７０】
このように、実施形態３に係るプロジェクタ１０００Ｃは、実施形態１に係るプロジェクタ１０００Ａとは、液晶表示装置４００Ｒ，４００Ｇ，４００Ｂ及び第１レンズアレイ１２０Ｃの構成が実施形態１に係るプロジェクタ１０００Ａのそれらとは異なるが、実施形態１に係るプロジェクタ１０００Ａの場合と同様に、液晶表示装置４００Ｒ，４００Ｇ，４００Ｂの各画像形成領域におけるｘ軸方向については画像形成領域の全体を、ｙ軸方向についてはその画像形成領域の一部を照明するような断面形状（すなわちｙ軸方向に圧縮された断面形状）を有する照明光束を、液晶表示装置４００Ｒ，４００Ｇ，４００Ｂの画面書込み周波数に同期して画像形成領域上でｙ軸方向に沿って走査することができるようになるため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００７１】
また、実施形態３に係るプロジェクタ１０００Ｃによれば、上記したようにｙ軸方向に圧縮された断面形状を有する照明光束を、照明装置の「照明光束をｘ軸方向については画像形成領域の全体を、ｙ軸方向についてはその画像形成領域の一部を照明するような断面形状を有する照明光束に変換する機能」によって実現しているため、光シャッタを用いる場合とは異なり、光源装置１１０からの照明光束を無駄無く液晶表示装置４００Ｒ，４００Ｇ，４００Ｂの画像形成領域に導くことができるようになり、光利用効率が大幅に低下することがなくなる。
【００７２】
このため、実施形態３に係るプロジェクタ１０００Ｃは、滑らかで良質な動画表示が得られるようにした場合であっても光利用効率が大幅に低下しないプロジェクタとなる。
【００７３】
〔実施形態４〕
図１０は、実施形態４に係るプロジェクタの光学系を示す図である。図１０（ａ）は光学系を上面から見た図であり、図１０（ｂ）は光学系を側面から見た図である。
【００７４】
実施形態４に係るプロジェクタ１０００Ｄは、色分離光学系の構成が実施形態１に係るプロジェクタ１０００Ａと異なる。すなわち、実施形態４に係るプロジェクタ１０００Ｄの色分離光学系２００Ｂは、図１０（ａ）及び図１０（ｂ）に示すように、ダブルリレー光学系を用いている。
【００７５】
このように、実施形態４に係るプロジェクタ１０００Ｄは、実施形態１に係るプロジェクタ１０００Ａとは、色分離光学系２００Ｂの構成が実施形態１に係るプロジェクタ１０００Ａのそれとは異なるが、実施形態１に係るプロジェクタ１０００Ａの場合と同様に、液晶表示装置４００Ｒ，４００Ｇ，４００Ｂの各画像形成領域におけるｘ軸方向については画像形成領域の全体を、ｙ軸方向についてはその画像形成領域の一部を照明するような断面形状（すなわちｙ軸方向に圧縮された断面形状）を有する照明光束を、液晶表示装置４００Ｒ，４００Ｇ，４００Ｂの画面書込み周波数に同期して画像形成領域上でｙ軸方向に沿って走査することができるようになるため、液晶表示装置４００Ｒ，４００Ｇ，４００Ｂの画像形成領域においては光照射領域と光非照射領域とが順次交互にスクロールされるようになる。その結果、尾引き現象が緩和され、滑らかで良質な動画表示が得られるプロジェクタとなる。
【００７６】
また、実施形態４に係るプロジェクタ１０００Ｄによれば、上記したようにｙ軸方向に圧縮された断面形状を有する照明光束を、照明装置の「照明光束をｘ軸方向については画像形成領域の全体を、ｙ軸方向についてはその画像形成領域の一部を照明するような断面形状を有する照明光束に変換する機能」によって実現しているため、光シャッタを用いる場合とは異なり、光源装置１１０からの照明光束を無駄無く液晶表示装置４００Ｒ，４００Ｇ，４００Ｂの画像形成領域に導くことができるようになり、光利用効率が大幅に低下することがなくなる。
【００７７】
このため、実施形態４に係るプロジェクタ１０００Ｄは、滑らかで良質な動画表示が得られるようにした場合であっても光利用効率が大幅に低下しないプロジェクタとなる。
【００７８】
以上、本発明のプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００７９】
（１）上記各実施形態のプロジェクタ１０００Ａ〜１０００Ｄは透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。 
【００８０】
（２）上記各実施形態のプロジェクタ１０００Ａ〜１０００Ｄは、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【００８１】
（３）上記各実施形態のプロジェクタ１０００Ａ〜１０００Ｄは、走査手段として、回転プリズム７７０を用いているが、本発明はこれに限られず、ガルバノミラーやポリゴンミラーを用いることもできる。
【００８２】
（４）上記各実施形態のプロジェクタ１０００Ａ〜１０００Ｄは、光源装置１１０として、楕円面リフレクタ１１４と、楕円面リフレクタ１１４の第１焦点近傍に発光中心を有する発光管１１２と、平行化レンズ１１８とを有する光源装置を用いているが、本発明はこれに限られず、放物面リフレクタと、放物面リフレクタの焦点近傍に発光中心を有する発光管とを有する光源装置をも好ましく用いることができる。
【図面の簡単な説明】
【００８３】
【図１】実施形態１に係るプロジェクタの光学系を示す図。
【図２】実施形態１の照明装置で用いられる第１レンズアレイの構造を説明するために示す図。
【図３】実施形態１の照明装置の機能を説明するために示す図。
【図４】実施形態１の照明装置の機能を説明するために示す図。
【図５】比較例に係る照明装置の機能を説明するために示す図。
【図６】回転プリズムの回転と液晶表示装置上の照明状態との関係を示す図。
【図７】実施形態２の照明装置の機能を説明するために示す図。
【図８】実施形態２の照明装置の機能を説明するために示す図。
【図９】実施形態３の照明装置で用いられる第１レンズアレイの構造を説明するために示す図。
【図１０】実施形態４に係るプロジェクタの光学系を示す図。
【図１１】従来のプロジェクタを説明するために示す図。
【図１２】従来の他のプロジェクタを説明するために示す図。
【符号の説明】
【００８４】
１００Ａ…照明装置、１１０…光源装置、１１２…発光管、１１４…楕円面リフレクタ、１１６…補助ミラー、１１８…平行化レンズ、１２０…第１レンズアレイ、１２２…小レンズ、１３０Ａ，１３０Ｂ…第２レンズアレイ、１４０…偏光変換素子、１５０…重畳レンズ、２００Ａ，２００Ｂ…色分離光学系、７５０，７５２…フィールドレンズ、７５４…リレーレンズ、７７０…回転プリズム、７７２…回転軸、４００Ｒ，４００Ｇ，４００Ｂ…液晶表示装置、５００…クロスダイクロイックプリズム、６００…投写光学系、９００Ａ，９００Ｂ，１０００Ａ，１０００Ｄ…プロジェクタ、ＳＣＲ…スクリーン
【図１】
2005223725.tif 000003
【図１０】
2005223725.tif 000004
【図１１】
2005223725.tif 000005
【図１２】
2005223725.tif 000006
【図２】
2005223725.tif 000007
【図３】
2005223725.tif 000008
【図４】
2005223725.tif 000009
【図５】
2005223725.tif 000010
【図６】
2005223725.tif 000011
【図７】
2005223725.tif 000012
【図８】
2005223725.tif 000013
【図９】
2005223725.tif 000014